(57)【特許請求の範囲】
【請求項１】
引っ張り強度が高くて耐久性に富む繊維で構成された格子状の補強帯とその補強帯の格子間に織り込まれた布帛を用いて、直径が１０〜３０ｃｍ、長さが１．０〜３．０ｍの可撓性の筒状袋体が形成され、この筒状袋体の内部に発泡粒体と、軽量土と、水生植物種子と、根株との混合物が充填され、かつ、この可撓性の筒状袋体の複数個が連結されて適宜な形状に成形され浮力を有することを特徴とする可撓性植生浮体。
【請求項２】
請求項１に記載の可撓性植生浮体を湖沼や調整池、ダム等の水面上に浮設して水生植物による緑化植生を図ることを特徴とする可撓性植生浮体を用いた緑化施工方法。
【発明の詳細な説明】
【０００１】
【発明の属する技術分野】
本発明は、湖沼、調整池、ダム等の水面の緑化を図るための可撓性植生浮体とそれらを用いた緑化施工方法に関するものである。
【０００２】
【従来の技術】
湖沼や調整池、ダム等においては生態系をより広い範囲で保護するため、また、水質の浄化を図るために水面上に緑化植生用の人工浮島を造成することが望まれる。
【０００３】
【０００４】
【発明が解決しようとする課題】
【０００５】
【０００６】
本発明は、コスト安に緑化植生用の人工浮島を容易に形成できる可撓性植生浮体とそれらを用いた緑化施工方法を提供することを目的としている。
【０００７】
【課題を解決するための手段】
本発明は上述の課題を解決するための手段を以下のように構成している。
すなわち、請求項１に記載の可撓性植生浮体の発明では、引っ張り強度が高くて耐久性に富む繊維で構成された格子状の補強帯とその補強帯の格子間に織り込まれた布帛を用いて、直径が１０〜３０ｃｍ、長さが１．０〜３．０ｍの可撓性の筒状袋体が形成され、この筒状袋体の内部に発泡粒体と、軽量土と、水生植物種子と、根株との混合物が充填され、かつ、この可撓性の筒状袋体の複数個が連結されて適宜な形状に成形され浮力を有することを特徴としている。
【０００８】
請求項２に記載の可撓性植生浮体を用いた緑化施工方法の発明では、請求項１に記載の可撓性植生浮体を湖沼や調整池、ダム等の水面上に浮設して水生植物による緑化植生を図ることを特徴としている。
【０００９】
【００１０】
【００１１】
【００１２】
【００１３】
【００１４】
【００１５】
【００１６】
【００１７】
湖沼や調整池、ダム等の水面上に可撓性植生浮体を浮設し、水生植物による緑化をおこなうことにより、より広い範囲で生態系の保護や水質の浄化等をコスト安に早期に効率よくおこなうことができる。なお、可撓性植生浮体はその複数体を連結して適宜な形状に形成したものが好ましい。
【００１８】
【発明の実施の形態】
以下に本発明の実施の形態を図面に基づいて説明する。
図１は可撓性護岸材の斜視図で、その可撓性護岸材１は、筒状袋体２の内部に、粒径２０〜７０ｍｍ程度の石（砕石、砂利等）と、バーク堆肥、ピートモス等の人工客土、焼却灰等を原料とした園芸用土、現場発生土等や、それらに肥料や活性炭等の水質浄化材を混合したものから、適宜に選択して使用される植物育成用土壌と、植物種子、茎葉部、根株等の混合物３を充填したものである。
【００１９】
上述の植物種子、茎葉部、根株等とは、これらの三種類でもよく、そのうち、一種類又は二種類でもよいという意味であり、その植物種子としては、例えば、ケンタッキー３１フェスク、バミューダグラス、リードキャナリーグラス等、また、木本種子としてはイタチハギ等が使用され、萌芽性茎葉あるいは根株としては、セリ、ヨシ、イタチハギ、ヤナギ等が使用される。
【００２０】
このような可撓性護岸材１を河川、湖沼、調整池等の岸辺に敷設して、法面を被覆保護すると共に、前記植物生育用土壌を培地として、植物種子、茎葉部、根株等を発芽・発根させ、成長させることにより、植生による水際の積極的な緑化を行って、水生動植物の棲息環境の創出や水質の浄化機能を持たせた多自然型水路・護岸を施工性よく構築することができる。その筒状袋体２に充填する混合物３の配合は設置場所、河川水位、気象条件等により、任意に調整すればよい。
【００２１】
上述の筒状袋体２には、例えば引張強度が高くて耐久性に富む繊維で構成された格子状の補強帯と、その補強帯の格子間に細やかな目合いに織り込まれ、時間の経過に伴い、腐食や溶解によって、補強帯だけが残るようにした布帛を用いるのが好ましく、また、比較的耐力があり、かつ、適当な目合ずれを生じて植物の生育の妨げにならないようなすだれ状のからみ織りにした布帛を用いてもよく、その他、施工条件等に応じてその素材は適宜に選択されてよい。
【００２２】
その筒状袋体２の寸法は、直径が１０〜３０ｃｍ、長さ１．０〜３．０ｍ程度として、各筒状袋体２の端部を連結部材４で相互に連結するようにしている。その連結部材４は、各筒状袋体２の端部に固定したアイ金具４１とＵ字ボルト４２，座金４３，ナット４４等よりなり、現地施工時に容易に着脱できるものであるが、適当な紐や針金等でアイ金具４１，４１同士を連結してもよく、その他、使用条件等に応じて適宜に工夫されてよい。
【００２３】
図２は可撓性護岸材の異なる実施形態を示し、前述した各充填物を筒状袋体２の内部に所定区間充填した後、未充填部２１と充填部２２の境界を締結部材７で閉塞し、更に、同様に混合物３を間欠的に繰り返し充填し、長手方向に複数個の充填部２２，…を連ねたものである。
【００２４】
その締結部材７は、例えばＵ字状に形成した板金材の両端にボルト孔を形成し、ボルトとナットで締結してもよく、また、そのボルト孔に紐や針金等を挿通させて締結してもよく、あるいは、紐や針金等でその未充填部２１と充填部２２の境界を締結してもよく、施工条件等に応じて適宜に工夫されてよい。
【００２５】
上述のように、長手方向に連続状に形成された可撓性護岸材１を河川、湖沼、調整池等の岸辺に敷設する場合（図３，図４参照）、前述したように、地盤（法面）５に対してきわめて追従性がよく、施工作業が容易であり、施工対象地盤の不陸修正が極く僅かでよく、現地での施工作業性に優れている。また、装飾性に富んだ種々のパターンにその可撓性護岸材１を配列することもできる（図５参照）。なお、図３のように、川底６に配列する場合、その筒状袋体２内には植生基材を含まないようにし、また、その配列方向は川の流れに沿う方向でも川の流れと直交する方向でもよい。
【００２６】
図６は河川等における入り込んだワンド部８および低水路部９の造成をおこなう場合の一例を示し、そのワンド部８においては、複雑に入り込んだ水汀線１０に可撓性護岸材１，…を柔軟に配列させることができ、また、低水路部９では、水汀線１０から可撓性護岸材１，…を連続的に張り出すように円弧状に巻回させて配置し、その低水路部９の浸食、流亡等を効果的に防ぐこともできる。
【００２７】
施工された可撓性護岸材１は、石の重量によって安定に地盤５に定着し、水流のある場所や砂質土壌の河岸等においても、定着性が良好であるが、必要に応じて止め釘やアンカーを打設してもよい。
【００２８】
また、筒状袋体２のそのものが可撓性を有していることに加えて、各筒状袋体２，２相互が変形自在であることから、敷設後の種々の地盤５の変化（不等地盤沈下や浸食、隆起等）に良好に追従して、さらなる変化を防ぎ、また、各筒状袋体２，２同士が分断されることがなく、防災性に優れた緑化が可能となる。
【００２９】
このような可撓性護岸材１が敷設されると、エロージョンや凍上が効果的に防止され、所定の期間が経過すると、筒状袋体２内に充填された植物種子、茎葉部、根株等は、河川や湖沼の水、雨水、植物生育用土壌中に含まれる養分等を吸収することにより、その植物生育用土壌を培地として発芽・発根し、これらの植物の成長により、法面の水際の緑化がおこなわれるのである。
【００３０】
従って、圃場で成長させた植物を工事現場に搬入して可撓性護岸材に植栽するといった手間は、一切不要であり、ナイロンネットに石を充填した蛇かご状のものと組み合わせる必要もなく、河川や湖沼の岸辺等を被覆保護すると共に、植生による水際の積極的な緑化を行って、水生動植物の棲息環境の創出や水質の浄化機能を持たせた多自然型水路・護岸を能率良く構築できかつ、地盤の変化にも柔軟に追従し、長期にわたりすぐれた護岸機能を維持することが可能となる。
【００３１】
図７は、可撓性の筒状袋体２内に、発泡スチロール等の発泡粒体と、軽量土と、水生植物種子、根株等の混合物を充填して浮力を持たせ、その複数個の筒状袋体２，…の未充填部２１，…同士を結合させて特定の植生パターン１２を形成したものであり、その植生パターン１２を、湖沼や調整池、ダム等の水面に浮設・繋留することにより、ヨシ，フサモ，ハス，ヒシ等の水生植物による水面の緑化と水質の浄化、景観の向上等をコスト安で早期に実現することができる。特に、岸辺の緑化と併せてこの植生パターン１２によって、水面の緑化をおこなうことにより、湖沼や調整池、ダム等においてより広い範囲での生態系の保護を図ることが可能となる。また、そのパターン１２は、図７のような三角形の組み合わせを展開させたものや輪形状、方形状、連続帯状等適宜な形状と大きさに設定できる。
【００３２】
【発明の効果】
以上説明したように、本発明の可撓性植生浮体およびそれを用いた緑化施工方法によれば、引っ張り強度が高くて耐久性に富む繊維で構成された格子状の補強帯とその補強帯の格子間に織り込まれた布帛を用いて、直径が１０〜３０ｃｍ、長さが１．０〜３．０ｍの可撓性の筒状袋体が形成され、この筒状袋体の内部に発泡粒体と、軽量土と、水生植物種子と、根株との混合物が充填され、かつ、この可撓性の筒状袋体の複数個が連結されて適宜な形状に成形され浮力を有するようにしてあるので、これを水面上に浮設することにより、コスト安で早期に、水面上に水生動植物の生息空間を創出することがき、より広い範囲にわたり生態系の保護を図ることができる。また、水質の浄化や景観の向上をもダイナミックに図ることができる。
【００３３】
【００３４】
【００３５】
【図面の簡単な説明】
【図１】  可撓性護岸材の一実施形態を示す部分破断斜視図である。
【図２】  可撓性護岸材の異なる実施形態を示す斜視図である。
【図３】  河川の岸辺に施工した可撓性護岸材の斜視図である。
【図４】  起伏のはげしい法面に可撓性護岸材を施工した場合の断面図である。
【図５】  斜面に可撓性護岸材をジグザグ状のパターンに配列施工した場合の斜視図である。
【図６】  ワンド部および低水路部、河原に可撓性護岸材を施工した場合の斜視図である。
【図７】  可撓性植生浮体で形成した植生パターンの斜視図である。
【符号の説明】
１…可撓性護岸材、１１…可撓性植生浮体、２…筒状袋体、２１…未充填部、２２…充填部、３…混合物。
【図１】
0003643568.tif 000002
【図２】
0003643568.tif 000003
【図３】
0003643568.tif 000004
【図４】
0003643568.tif 000005
【図５】
0003643568.tif 000006
【図６】
0003643568.tif 000007
【図７】
0003643568.tif 000008